(57)【要約】【課題】管理の容易な画像蓄積システムを提供する。【解決手段】蓄積する画像に対する操作情報を入力する操作情報入力手段と、前記操作情報入力手段により入力された操作情報の内容を表すメッセージを複数の管理者に送信し且つ操作情報に対する管理者からの承認または拒否を表すメッセージを受信する通信手段３０１と、操作対象となる蓄積画像の重要度を算出する重要度算出手段３０５と、前記重要度に基づいて実際に実行する操作を決定する実行操作決定手段３０６と、を備えた画像蓄積装置１０２と、前記画像蓄積装置１０２からのメッセージを受信する受信手段と、各種の設定を行う設定手段と、を備えた管理者端末と、から成る。【選択図】      図３
2004186908.tif 000002
【特許請求の範囲】
【請求項１】
蓄積する画像を入力し且つ該蓄積した画像を出力する画像入出力手段と、前記画像入出力手段により入力された画像を記憶する記憶手段とを備えた画像蓄積システムであって、
管理者の登録、管理者によるシステムの設定、管理者またはユーザーによる画像の蓄積や削除等の蓄積する画像に対する操作情報を入力する操作情報入力手段と、前記操作情報入力手段により入力された操作情報の内容を表すメッセージを複数の管理者に送信し且つ操作情報に対する管理者からの承認または拒否を表すメッセージを受信する通信手段と、蓄積画像に関して得られる情報、管理者やユーザーによるシステムへの入力情報、要求された操作に対する各管理者の承認結果等の情報から操作対象となる蓄積画像の重要度を算出する重要度算出手段と、
前記重要度算出手段により算出された重要度を予め設定された基準値に基づいて判定し且つ要求された操作に対して実際に実行する操作を決定する実行操作決定手段と、を備えた画像蓄積装置と、
前記画像蓄積装置からのメッセージを受信する受信手段と、管理者の登録、操作の要求、システムの設定等を行う設定手段と、を備えた管理者端末と、
から成ることを特徴とする画像蓄積システム。
【発明の詳細な説明】
【０００１】
【発明の属する技術分野】
本発明は、内部で生成された画像（映像）または外部から入力された画像（映像）を蓄積する画像蓄積システムに関する。
【０００２】
【従来の技術】
従来の画像蓄積システムでは、画像の蓄積及び蓄積画像の削除等の操作に関して、全ての権限を有する管理者と該管理者によって権限を制約されたユーザーとが存在し、管理者が複数の場合は、基本的に各管理者が有する権限は同じであった。そのため、システムの機能上は、各管理者は、他の管理者の同意を得ることなく、所望の操作を行うことが可能であった（例えば、特許文献１参照）。
【０００３】
【特許文献１】
特開２００１−２７３４８３
【０００４】
【発明が解決しようとする課題】
しかし、上記のような画像蓄積システムにおいては、管理者が複数の場合、ある管理者が蓄積しておきたかった画像を他の管理者に勝手に削除されてしまうといった事態が発生する可能性がある。また、システムの残りの記憶容量が少なくなり、新たに画像を蓄積することができなくなりそうな場合、システムが電子メール等の手段で管理者に通知して、不要な蓄積画像を削除させるか、システム自体が自動的に不要な蓄積画像を選択して削除することにより、新たな記憶容量を確保して直面する問題は解決できるが、上記と同様に、ある管理者にとって必要なファイルまで削除してしまう可能性が残る。
【０００５】
従って、こうした事態を回避するには、管理者同志で連絡を取り合い、重要な画像を把握しておく等の面倒な対応が必要であるが、その場合でも、上記のような事態を確実に回避できるとは限らない。
【０００６】
本発明は、上述したような従来技術の有する問題点を解消するためになされたもので、その目的は、管理が容易な画像蓄積システムを提供することである。
【０００７】
【課題を解決するための手段】
上記目的を達成するために本発明の画像蓄積システムは、蓄積する画像を入力し且つ該蓄積した画像を出力する画像入出力手段と、前記画像入出力手段により入力された画像を記憶する記憶手段とを備えた画像蓄積システムであって、管理者の登録、管理者によるシステムの設定、管理者またはユーザーによる画像の蓄積や削除等の蓄積する画像に対する操作情報を入力する操作情報入力手段と、前記操作情報入力手段により入力された操作情報の内容を表すメッセージを複数の管理者に送信し且つ操作情報に対する管理者からの承認または拒否を表すメッセージを受信する通信手段と、蓄積画像に関して得られる情報、管理者やユーザーによるシステムへの入力情報、要求された操作に対する各管理者の承認結果等の情報から操作対象となる蓄積画像の重要度を算出する重要度算出手段と、前記重要度算出手段により算出された重要度を予め設定された基準値に基づいて判定し且つ要求された操作に対して実際に実行する操作を決定する実行操作決定手段と、を備えた画像蓄積装置と、前記画像蓄積装置からのメッセージを受信する受信手段と、管理者の登録、操作の要求、システムの設定等を行う設定手段と、を備えた管理者端末と、から成ることを特徴とする。
【０００８】
【発明の実施の形態】
以下、本発明の一実施の形態について、図面を参照して説明する。
【０００９】
図１は、本実施の形態に係る画像蓄積システムの構成を示す図であり、同図に示すように、本実施の形態に係る画像蓄積システムの基本的構成要素は、インターネット等のネットワーク１０１に接続された画像蓄積装置１０２、ネットワーク１０１に接続可能な管理者端末（Ａ）１０３、管理者端末（Ｂ）１０４、管理者端末（Ｃ）１０５及び管理者（Ａ）１０６、管理者（Ｂ）１０７、管理者（Ｃ）１０８によってシステムに対する操作を制限されたユーザーが使用するユーザー端末である。管理者端末（Ａ）１０３〜管理者端末（Ｃ）１０５及びユーザー端末は専用の端末でなく、ＰＣ（パーソナルコンピュータ）、ＰＤＡ（携帯型情報機器）、携帯電話等、ネットワーク１０１に接続可能な汎用の端末で良い。
【００１０】
本実施の形態に係る画像蓄積システムでは、上述したような基本的構成要素に、画像蓄積装置１０２に接続されるＴＶ（テレビジョン）またはＴＶチューナー１０９やスチルカメラまたはビデオカメラ１１０等の画像出力機器、画像蓄積装置１０２内のデータをバックアップしておくためのバックアップ装置１１１、ネットワーク１０１経由で画像を配信するストリーミングサーバ１１２やネットワークカメラサーバ１１３等が必要に応じて追加される。
【００１１】
図２は、従来の画像蓄積システムにおける画像蓄積装置の内部構成を示す図、図３は、本実施の形態に係る画像蓄積システムにおける画像蓄積装置の内部構成を示す図である。
【００１２】
図２に示す従来の画像蓄積システムにおける画像蓄積装置２０１は、ネットワーク経由でテキストやバイナリデータの送受信を行う通信手段２０２、蓄積する画像を入力または蓄積した画像を出力するための画像入出力手段２０３、蓄積画像データ、蓄積画像に関する情報、システムの設定情報、管理者の登録情報や入力情報等を保持する記憶手段２０４等で構成される。
【００１３】
但し、従来の画像蓄積システムにおいては、ネットワーク経由での操作要求及び通知、ストリーミングサーバやネットワークカメラサーバからの映像データの受信、管理者端末やユーザー端末への映像データの送信等を行わない場合は、通信手段２０２は必須ではない。
【００１４】
図３に示す本実施の形態に係る画像蓄積システムにおける画像蓄積装置１０２は、通信手段３０１、画像入出力手段３０２、記憶手段３０３のように、従来の画像蓄積システムと共通に備える手段の他、管理者の登録情報やシステムの設定情報、操作の入力を受け付ける操作・設定入力手段３０４、蓄積画像情報や管理者情報等から蓄積画像の重要度を算出する重要度算出手段３０５及び各蓄積画像の重要度から蓄積画像に対して実行する操作を決定する実行操作決定手段３０６等を備えている。
【００１５】
図４、図５、図６は、本実施の形態に係る画像蓄積システムにおいて、管理者またはシステム自体が蓄積画像に対する操作を要求してから、実行される操作が決定されるまでの過程を示す図である。
【００１６】
図４において、管理者１０６の管理者端末１０３から画像蓄積装置１０２に対して操作要求が送信される（４０１）と、画像蓄積装置１０２は、要求された操作の内容を表すメッセージを他の管理者１０７，１０８の管理者端末１０４，１０５に通信手段３０１により送信する（４０２）。前記メッセージを受信して操作要求の内容を確認した管理者１０７，１０８は、必要に応じて管理者端末１０４，１０５から、その操作に対して承認または拒否を伝えるメッセージを返信する（４０３）。
【００１７】
前記メッセージを受信した画像蓄積装置１０２の重要度算出手段３０５は、操作要求に対する承認結果、及び操作要求の対象となる蓄積画像に関する情報、操作・設定入力手段３０４（図３参照）によって入力された各管理者に関する情報等を元にして、操作対象となる蓄積画像の重要度を算出する。また、記憶手段３０３の容量が不足して、新たな画像の蓄積を行えなくなることが予測される際等に、画像蓄積装置１０２が各管理者１０６〜１０８に対して不要な蓄積画像の削除等の操作を求める通知を送信したり、システム自体が自発的に不要な蓄積画像の削除等の操作を要求したりする機能を備える場合もある。
【００１８】
後者の場合には、図５において、まず、システムが記憶手段３０３の残容量不足等を検知して、それに対応した操作を実行操作決定手段３０６により決定し（５０１）、システムが要求する操作の内容を表すメッセージを通信手段３０１により各管理者１０６〜１０８に送信する（５０２）。前記メッセージを受信して操作要求の内容を確認した管理者１０７，１０８は、必要に応じて管理者端末１０４，１０５から、その操作に対して承認または拒否を伝えるメッセージを返信する（５０３）。
【００１９】
それ以降は、管理者１０６〜１０８から操作要求があった場合と同様に、図６において、操作内容に対する承認結果の受信、操作対象の重要度を、重要度算出手段３０５により算出し（６０１）、該算出した重要度に従って実行操作決定手段３０６により実行操作を決定し（６０２）、システム動作が通信手段３０１により管理者１０６〜１０８に通知される（６０３）。
【００２０】
図７は、本実施の形態に係る画像蓄積システムにおける蓄積画像の重要度算出方法を示す図であり、同図において、７０１は重要度の算出に使用される情報、７０２は重要度算出手段で、図３の重要度算出手段３０５に相当するものである。７０３は重要度、７０４は実行操作決定手段で、図３の実行操作決定手段３０６に相当するものである。７０５は操作で、具体例を挙げると、管理者（Ａ）に対する操作７０５−１、管理者（Ｂ）に対する操作７０５−１、管理者（Ｃ）に対する操作７０５−１、各管理者間で共通の操作７０５−４等である。
【００２１】
重要度算出手段７０２は、画像蓄積装置１０２内の記憶手段３０３が保持する画像に関する情報及び管理者に関する情報から各蓄積画像の重要度を算出する。重要度の算出に使用される情報７０１の具体例を挙げると、画像の蓄積が開始・終了された時刻である蓄積時刻７０１−蓄積された画像の内容である蓄積内容７０１−２、蓄積画像に対する操作の承認結果や承認に要した時間である承認状況７０１−３、要求された操作の内容や要求の回数である操作要求内容・回数７０１−４、蓄積された画像が閲覧された回数や人数である視聴状況７０１−５、各管理者の好みや重視する画像のポイントである管理者情報７０１−６、過去の操作履歴７０１−７、システムの設定情報７０１−８等である。
【００２２】
重要度算出手段７０２は、これらの情報７０１−１〜７０１−８に変化が生じた際や、何らかの操作が実行された際、または、ある一定の時間間隔毎に、前記各情報７０１−１〜７０１−８に関する評価値を求め、予め設定された式に代入して、蓄積画像毎及び管理者毎に一意の重要度７０３を算出する。
【００２３】
重要度算出手段７０２によって算出された重要度７０３の具体例を挙げると、管理者（Ａ）にとっての重要度７０３−１、管理者（Ｂ）にとっての重要度７０３−２、管理者（Ｃ）にとっての重要度７０３−３、各管理者間での共通の重要度７０３−４等がある。
【００２４】
重要度算出手段７０２によって算出された重要度７０３は、管理者またはシステム自体が何等かの操作を要求した際に、実行操作決定手段７０４が要求された操作を実行するか否か、または実行する操作の詳細な内容を決定する尺度として用いられる。具体的には、「ある蓄積画像の削除が操作として要求された場合には、削除対象の蓄積画像に関する重要度が予め設定された削除不可基準値より高い場合は削除しない」、「予め設定された削除可能基準値より低い場合は削除する」、「削除不可基準値より低いが削除可能基準値よりも高い場合にはバックアップまたは転送を実行する」等の決定を行う。
【００２５】
また、映像の蓄積が要求された場合には、「蓄積対象となる映像の重要度が予め設定された蓄積可能基準値より高い場合は蓄積を実行する」、「予め設定された蓄積不可基準値よりも低い場合は蓄積を実行しない」、「蓄積可能基準値よりも低いが蓄積不可基準値よりも高い場合は重要度の値に応じてフレームレートや画質を落として蓄積を実行する」等の決定が行われる。
【００２６】
但し、上記のような映像の蓄積や削除のように基本的に各管理者間で共通の操作の場合、管理者毎に個別に算出された各重要度７０３−１〜７０３−３を総合的に判定する方法、または各管理者間で共通に算出された重要度７０３−４を判定する方法のどちらかによって、実行する操作７０５−４は一意に決定される。
【００２７】
その一方、各管理者への選択的な通知といった管理者毎に異なる操作の場合には、管理者毎に個別の重要度７０３−１〜７０３−３を算出し、管理者毎の重要度を判定して、管理者毎に実行する操作７０５−１〜７０５−３を個別に決定する。
【００２８】
図８は、本実施の形態に係る画像蓄積システムが要求された操作を実行するまでの基本的な処理動作の流れを示すフローチャートである。
【００２９】
管理者またはシステム自体が画像蓄積装置１０２に対して画像の蓄積及び蓄積予約、蓄積の停止・蓄積予約の取り消し、蓄積画像の圧縮・削除・バックアップ・転送等の操作を要求する（ステップＳ８０１）と、画像蓄積装置１０２は、操作の対象となる蓄積画像に関する情報から対象毎の重要度を算出（ステップＳ８０２）し、算出された重要度判定によって各管理者へ操作内容を通知するか否かを判断する（ステップＳ８０３）。重要度の判定によって通知の必要がないと判断された場合は、要求された操作を実行する（ステップＳ８０４）。また、通知の必要があると判断された場合は、通知すべきであると判定された管理者に対して操作内容の通知を行い（ステップＳ８０５）、操作に対する各管理者の承認結果を受信する（ステップＳ８０６）。重要度算出手段３０５（図３参照）は、管理者端末から受け取った承認結果を含めて操作対象の重要度を算出し直し（ステップＳ８０７）、実行操作決定手段３０６が算出された重要度を判定して、実行する操作内容を決定する（ステップＳ８０８）。実行する操作の決定結果は、各管理者に通知され（ステップＳ８０９及びステップＳ８１０）、実行が決定された場合は、操作が実行される（ステップＳ８０４）。
【００３０】
但し、図８においては、操作内容の通知のための重要度算出と、その判定（ステップＳ８０２及びステップＳ８０３）が行われているが、全管理者に一律に通知する場合には、これらを必ずしも実行する必要はない。また、管理者に対する実行する操作内容の通知（ステップＳ８０９及びステップＳ８１０）についても、必ずしも行う必要はない。
【００３１】
次に、本実施の形態に係る画像蓄積システムにおいて、システム自体が記憶手段３０３中の蓄積画像データに対する操作を要求する場合における処理動作について、図９を用いて説明する。
【００３２】
図９は、本実施の形態に係る画像蓄積システムにおいて、システム自体が記憶手段３０３中の蓄積画像データに対する操作を要求する場合における処理動作の流れを示すフローチャートである。
【００３３】
システム中の記憶手段３０３の残り記憶容量が不足する等、記憶手段３０３中の蓄積画像データを圧縮・削除・バックアップ・転送する必要性が生じた場合（ステップＳ９０１）、システム自体がその時点における重要度を元にして操作対象となる蓄積画像を選択し、前記操作を要求する（ステップＳ９０２）。次に、操作対象の重要度を判定し（ステップＳ９０３）、重要度が低い場合は蓄積画像の削除・バックアップ・転送を実行する（ステップＳ９０４）。また、重要度が高い場合は、管理者に操作内容を通知し（ステップＳ９０５）、操作に対する承認結果を受信し（ステップＳ９０６）、操作対象の重要度を算出し（ステップＳ９０７）、操作対象の重要度を判定する（ステップＳ９０８）。そして、重要度の低い場合は操作の実行を管理者に通知し（ステップＳ９０９）、その後、蓄積画像の削除・バックアップ・転送を実行する（ステップＳ９０４）。また、操作対象の重要度が高いと判定された場合には、画像蓄積装置１０２は、操作の実行を拒否すると共に、その旨を管理者に通知し（ステップＳ９１０）、その後、別の対象を選択し直して（ステップＳ９１１）、再度同様の操作を要求する（ステップＳ９０２）。
【００３４】
次に、本実施の形態に係る画像蓄積システムにおいて、ある管理者が画像の蓄積を予約する場合の動作について、図１０を用いて説明する。
【００３５】
図１０は、本実施の形態に係る画像蓄積システムにおいて、ある管理者が画像の蓄積を予約する場合の動作の流れを示すフローチャートである。
【００３６】
処理の流れは、画像の蓄積予約に対する処理（１００１）と、蓄積予約の取り消しに対する処理（１００２）とに分けられる。
【００３７】
画像の蓄積予約に対する処理１００１では、まず、ある管理者が画像の蓄積を予約すると（ステップＳ１００１−１）、他の管理者に蓄積予約の内容を通知する（ステップＳ１００１−２）。次に、蓄積予約に対する承認結果を受信する（ステップＳ１００１−３）し、次に、蓄積予約の対象の重要度を算出する（ステップＳ１００１−４）。次に、蓄積予約の対象の重要度を判定し（ステップＳ１００１−５）、蓄積対象の重要度が低い場合は蓄積の実行を拒否し、その旨を管理者に通知する（ステップＳ１００１−６）。また、蓄積対象の重要度が高く、実行操作決定手段３０６によって蓄積予約の実行が許可された場合には、蓄積の実行を管理者に通知し（ステップＳ１００１−７）、蓄積開始時刻まで蓄積予約の取り消し要求の有無を判断する（ステップＳ１００１−８）。そして、蓄積予約の取り消し要求が無いと判断された場合は、蓄積開始時刻に画像を蓄積する（ステップＳ１００１−９）。また、蓄積予約取り消し要求が有ると判断された場合は、蓄積予約取り消しに対する処理（１００２）が開始される。
【００３８】
蓄積予約取り消しに対する処理（１００２）では、まず、蓄積予約の取り消しを要求された対象の重要度を算出する（ステップＳ１００２−１）。次に、蓄積対象の重要度を判定する（ステップＳ１００２−２）。そして、蓄積対象の重要度が低い場合は、予約取り消しの実行を管理者に通知し（ステップＳ１００２−８）、次に、蓄積予約の取り消しを実行する（ステップＳ１００２−９）。
【００３９】
一方、蓄積予約対象の重要度が高い場合は、他の管理者に蓄積予約の取り消しを通知し（ステップＳ１００２−３）次に、蓄積予約の取り消しに対する承認結果を受信し（ステップＳ１００２−４）、次に、蓄積対象の重要度を算出する（ステップＳ１００２−５）。そして、蓄積対象の重要度が低い場合は、予約取り消しの実行を管理者に通知し（ステップＳ１００２−８）、次に、蓄積予約の取り消しを実行する（ステップＳ１００２−９）。
【００４０】
一方、蓄積予約対象の重要度が高い場合は、予約取り消しが拒否され、その旨が管理者に通知され（ステップＳ１００２−７）、再び蓄積予約の取り消し要求が有るか否かを判断する（ステップＳ１００１−８）。
【００４１】
また、画像蓄積の実行を直ちに開始するように要求された場合も、蓄積の実行に対する処理と蓄積の停止から成る図１０に示した処理と略同様の処理が行われる。蓄積予約が要求された場合と異なるのは、管理者からの蓄積の実行要求を受け付けると、一旦直ちに蓄積を実行し、蓄積中に停止要求を受け付け且つ蓄積中の画像の重要度が低い場合には、蓄積の停止とその時点で蓄積された画像の削除を行うという点である。
【００４２】
図１１は、本実施の形態に係る画像蓄積システムにおける操作内容の通知を電子メールで行う場合のメッセージ内容の一例を示す図であり、同図において、１１００は通知メッセージ、１１０１はリンクである。図１１に示すように、通知メッセージ１１００中には、他管理者、またはシステムによる操作要求内容、システム情報、承認方法等が含まれており、必要に応じて画像蓄積装置１０２内のＷＷＷサーバに置かれた、より詳細な情報が掲載されたＷＷＷページへのリンク１１０１が含まれる。通知された操作に対する承認・拒否については、予めそれぞれに定められた書式のメールを返信する方法や、画像蓄積装置１０２側で承認と拒否を返信の有無で判断する等の方法、及び下記のように、画像蓄積装置１０２がＷＷＷサーバの機能を備え、ＷＷＷペＷＷＷページージのフォームへの入力を利用する方法等がある。
【００４３】
図１２は、本実施の形態に係る画像蓄積システムにおけるシステム状態の表示や、操作の要求、操作に対する承認・拒否の入力を行うためのＷＷＷページの一例を示す図であり、同図において、１２００はＷＷＷページ、１２０１は（御教示下さい。）である。上記のように、管理者やシステムによる操作内容の通知を電子メール等で受け取った管理者は、電子メール中のリンク１１０１のクリック、ＷＷＷブラウザへのＵＲＬの直接入力またはブックマークのクリックによって、ＷＷＷページ１２００にアクセスすることができる。このＷＷＷページ１２００は、ＣＧＩやサーブレット等のＷＷＷページ生成手段（図示省略）により、管理者毎に個別の情報や入力を受け付けるためのフォームを表示する。
【００４４】
また、操作内容通知及びそれに対する承認・拒否や操作要求の入力を行う方法としては、上記で示した電子メールや、ＷＷＷページを用いる方法の他、インスタントメッセンジャーのような、リアルタイムに特定の端末とのメッセージの送受信が行える専用のサーバ・クライアントを提供する方法もある。以上のように、本実施の形態に係る画像蓄積システムによれば、情報蓄積システム自体が操作要求に関する情報を管理者間で共有する手段を提供すると共に、要求された操作の実行をシステムが保持する情報から総合的に判断して決定するため、管理者同志で事前に連絡を取り合わなくても、ある管理者にとって重要な情報を誤って消去してしまうといった事態を回避することができる。
【００４５】
本発明の情報蓄積システムによれば、従来の画像蓄積システムを複数人で使用する場合に、自分の知らないところで他人が勝手に自分が蓄積した画像を削除してしまうといった問題を解決することができる。また、システムの管理を複数の管理者に分散する仕組みを提供するため、一人当たりのシステム管理に関する負担を減らすことができる。
【００４６】
従って、従来の画像蓄積システムでは、複数のシステムを用意しなければならなかった場合でも、本実施の形態に係る画像蓄積システムの場合は、一台用意するだけで済ませることも可能になり、トータルのシステム導入コストやシステム管理負担の軽減を実現することができる。
【００４７】
また、上述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出して実行することによっても、本発明が達成されることは言うまでもない。
【００４８】
この場合、記憶媒体から読み出されたプログラムコード自体が上述した実施の形態の機能を実現することになり、そのプログラムコードを記憶した記憶媒体は本発明を構成することになる。
【００４９】
また、プログラムコードを供給するための記憶媒体としては、例えば、ＲＡＭ、ＮＶ−ＲＡＭ、フロッピー（登録商標）ディスク、ハードディスク、光ディスク、光磁気ディスク、ＭＯ、ＣＤ−ＲＯＭ、ＣＤ−Ｒ、ＣＤ−ＲＷ、ＤＶＤ（ＤＶＤ−ＲＯＭ、ＤＶＤ−Ｒ、ＤＶＤ−ＲＷ等）、磁気テープ、不揮発性のメモリカード、他のＲＯＭ等の上記プログラムコードを記憶できるものであれば良く、或いはネットワークを介したダウンロード等を用いることができる。
【００５０】
また、コンピュータが読み出したプログラムコードを実行することにより、上述した実施の形態の機能が実現されるだけでなく、そのプログラムコードの指示に基づき、コンピュータ上で稼動しているＯＳ（オペレーティングシステム）等が実際の処理の一部または全部を行い、その処理によって上述した実施の形態の機能が実現される場合も含まれることは言うまでもない。
【００５１】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって上述した実施の形態の機能が実現される場合も含まれることは言うまでもない。
【００５２】
以上では、本発明の様々な例と実施形態を説明したが、当業者であれば、本発明の趣旨と範囲は本明細書内の特定の説明と図に限定されるものではなく、本願特許請求の範囲に全て述べられた様々な修正と変更に及ぶことが可能であることは言うまでもない。
【００５３】
本発明の実施態様の例を以下に列挙する。
【００５４】
［実施態様１］  蓄積する情報を入力し且つ該蓄積した情報を出力する情報入出力手段と、前記情報入出力手段により入力された情報を記録する記録手段とを備えた情報蓄積システムであって、
管理者の登録、管理者によるシステムの設定、管理者またはユーザーによる情報の蓄積や削除等の蓄積する情報に対する操作情報を入力する操作情報入力手段と、
前記操作情報入力手段により入力された操作情報の内容を表すメッセージを複数の管理者に送信し且つ操作情報に対する管理者からの承認または拒否を表すメッセージを受信する通信手段と、
蓄積情報に関して得られる情報、管理者やユーザーによるシステムへの入力情報、要求された操作に対する各管理者の承認結果等の情報から操作対象となる蓄積情報の重要度を算出する重要度算出手段と、
前記重要度算出手段により算出された重要度を予め設定された基準値に基づいて判定し且つ要求された操作に対して実際に実行する操作を決定する実行操作決定手段とを備えた情報蓄積装置と、
前記情報蓄積システムからのメッセージを受信する受信手段と、
管理者の登録、操作の要求、システムの設定等を行う設定手段とを備えた管理者端末とから成ることを特徴とする情報蓄積システム。
【００５５】
［実施態様２］  前記情報蓄積装置の記憶手段の残り容量が少なくなった場合に、システムの状態の通知や蓄積情報の削除を要求するメッセージを送信するか、システム自体が重要度の低い蓄積情報を選択して削除等の操作情報を入力することを特徴とする実施態様１に記載の情報蓄積システム。
【００５６】
［実施態様３］  前記情報蓄積装置には、バックアップ装置を接続することが可能で、蓄積情報を前記バックアップ装置に出力または転送することでバックアップを行えることを特徴とする実施態様１または２に記載の情報蓄積システム。
【００５７】
［実施態様４］  前記情報蓄積装置の通信手段は、情報データの送受信を行う機能を持ち、ネットワーク上に存在する映像ストリーミングサーバ、ネットワークカメラサーバ等が配信する情報の蓄積や、前記管理者端末に対する情報の配信を行えることを特徴とする実施態様１乃至３のいずれかに記載の情報蓄積システム。
【００５８】
［実施態様５］  前記情報蓄積装置の重要度算出手段は、管理者によって異なる情報から管理者毎に異なる重要度を算出することができ、
前記情報蓄積装置の実行操作決定手段は、管理者毎に異なる蓄積情報の重要度を判定し、各管理者に対して異なるシステム動作を実行することができることを特徴とする実施態様１乃至４のいずれかに記載の情報蓄積システム。
【００５９】
［実施態様６］  前記情報蓄積装置の通信手段は、要求された操作や実行する操作の内容を前記管理者端末に送信したり、前記管理者端末から前記情報蓄積装置に対する操作要求や、通知された操作に対する承認結果を受信したりする手段として、電子メール、ＷＷＷページまたは専用のソフトウェアを利用することを特徴とする実施態様１乃至５のいずれかに記載の情報蓄積システム。
【００６０】
【発明の効果】
以上のように、本発明によれば、従来は複数のシステムを用意しなければならなかった場合でも、本発明のシステムの場合は一台用意するだけで済ませることも可能になり、トータルのシステム導入コストやシステム管理負担の軽減を実現することができる。
【図面の簡単な説明】
【図１】本発明の一実施の形態に係る画像蓄積システムの構成を示す図である。
【図２】従来の画像蓄積システムにおける画像蓄積装置の内部構成を示す図である。
【図３】本発明の一実施の形態に係る画像蓄積システムにおける画像蓄積装置の内部構成を示す図である。
【図４】本発明の一実施の形態に係る画像蓄積システムにおいて、管理者またはシステム自体が蓄積画像に対する操作を要求してから、実行される操作が決定されるまでの過程を示す図である。
【図５】本発明の一実施の形態に係る画像蓄積システムにおいて、管理者またはシステム自体が蓄積画像に対する操作を要求してから、実行される操作が決定されるまでの過程を示す図である。
【図６】本発明の一実施の形態に係る画像蓄積システムにおいて、管理者またはシステム自体が蓄積画像に対する操作を要求してから、実行される操作が決定されるまでの過程を示す図である。
【図７】本発明の一実施の形態に係る画像蓄積システムにおいて、蓄積画像の重要度算出方法を示す図である。
【図８】本発明の一実施の形態に係る画像蓄積システムにおいて、システムが要求された操作を実行するまでの基本的な処理動作の流れを示すフローチャートである。
【図９】本発明の一実施の形態に係る画像蓄積システムにおいて、システム自体が記憶手段中の蓄積画像に対する操作を要求する場合の処理動作の流れを示すフローチャートである。
【図１０】本発明の一実施の形態に係る画像蓄積システムにおいて、ある管理者が画像の蓄積を予約する場合の操作実行までの動作の流れを示すフローチャートである。
【図１１】本発明の一実施の形態に係る画像蓄積システムにおいて、要求された操作内容の通知を電子メールで行う場合のメッセージ内容を示す図である。
【図１２】本発明の一実施の形態に係る画像蓄積システムにおいて、要求された操作内容の通知及び操作要求等の入力を行うためのＷＷＷページの一例を示す図である。
【符号の説明】
１０１      インターネット
１０２      画像蓄積装置
１０３      管理者端末（Ａ）
１０４      管理者端末（Ｂ）
１０５      管理者端末（Ｃ）
１０６      管理者（Ａ）
１０７      管理者（Ｂ）
１０８      管理者（Ｃ）
１０９      ＴＶ／ＴＶチューナ
１１０      スチルカメラ／ビデオカメラ
１１１      バックアップ装置
１１２      ストリーミングサーバ
１１３      ネットワークカメラサーバ
３０１      通信手段
３０２      画像入出力手段
３０３      記憶手段
３０４      操作・設定入力手段
３０５      重要度算出手段
３０６      実行操作決定手段
７０１      重要度の算出に使用される情報
７０１−１  蓄積時刻
７０１−２  蓄積内容
７０１−３  承認状況
７０１−４  操作要求内容・回数
７０１−５  視聴状況
７０１−６  管理者情報
７０１−７  操作履歴
７０１−８  設定情報
７０２      重要度算出手段
７０３      重要度
７０４      実行操作決定手段
７０５      操作
７０５−１  管理者（Ａ）に対する操作
７０５−２  管理者（Ｂ）に対する操作
７０５−３  管理者（Ｃ）に対する操作
７０５−４  各管理者間で共通の操作
１１００    通知メッセージ
１１０１    リンク
１２００    ＷＷＷページ
【図１】
2004186908.tif 000003
【図２】
2004186908.tif 000004
【図３】
2004186908.tif 000005
【図４】
2004186908.tif 000006
【図５】
2004186908.tif 000007
【図６】
2004186908.tif 000008
【図７】
2004186908.tif 000009
【図８】
2004186908.tif 000010
【図９】
2004186908.tif 000011
【図１０】
2004186908.tif 000012
【図１１】
2004186908.tif 000013
【図１２】
2004186908.tif 000014